(57)【要約】【課題】難聴者であっても補助となる手本のボーカル音、自分の歌声、及びカラオケの伴奏音のうち少なくとも一つの音を認識することができ、上手にカラオケを唄うことができるためのカラオケシステムを提供することを目的としたものである。【解決手段】骨伝導スピーカを備えた骨伝導ヘッドセット１００ａを歌い手（甲）の頭部に装着し、カラオケ装置１０から、自己の唄ったマイクロホン信号、カラオケの伴奏音信号、及び、歌い手がカラオケで唄う際の手本に使用するボーカルに係るボーカル信号のうち少なくとも一つの信号を送信する。これにより、歌い手（甲）には、上記信号に基づいた骨伝導振動を伝達することができる。【選択図】      図１
2004170717.tif 000002
【特許請求の範囲】
【請求項１】
マイクからのマイクロホン信号、カラオケの伴奏音信号、及び、歌い手がカラオケで唄う際の手本に使用するボーカルに係るボーカル信号のうち少なくとも一つの信号を送信する送信機を備えたカラオケ装置と、
前記送信機によって送信された信号を受信する受信機と、この受信した信号に基づいて骨伝導振動を発生させる骨伝導スピーカとを備え、人体の頭部に装着可能な骨伝導ヘッドセットと、
を有することを特徴とするカラオケシステム。
【請求項２】
前記カラオケ装置は、空気振動を発生させて音を出力する空気振動スピーカに対し、前記マイクからのマイクロホン信号及びカラオケの伴奏信号を送信することを特徴とする請求項１に記載のカラオケシステム。
【請求項３】
前記ボーカル信号は、前記歌い手がカラオケで唄う際の手本に使用するメインボーカルに係るメインボーカル信号及びバックコーラスに係るバックコーラス信号を含むと共に、
前記骨伝導ヘッドセットは、前記受信機によって受信したメインボーカル信号又はバックコーラス信号のいずれか一方を選択することにより、前記メインボーカル信号又はバックコーラス信号に基づいて前記骨伝導スピーカから発生させる骨伝導振動を制御する制御部を備えたことを特徴とする請求項１又は２に記載のカラオケシステム。
【請求項４】
前記骨伝導ヘッドセットは、この骨伝導ヘッドセットの装着者が発声した音声を骨伝導振動として受信する骨伝導マイクを備え、
前記骨伝導ヘッドセットの受信機は、前記骨伝導マイクによって受信した骨伝導振動に基づいた信号を送信する機能を有すると共に、他の骨伝導ヘッドセットの受信機からの信号を受信可能であることを特徴とする請求項１乃至３のいずれか１項に記載のカラオケシステム。
【発明の詳細な説明】
【０００１】
【発明の属する技術分野】
本発明は、受信信号に基づいて骨伝導振動を発生させる骨伝導スピーカを備えた骨伝導ヘッドセットを使用するカラオケシステムに関する。
【０００２】
【従来の技術】
従来、歌い手がカラオケで唄う際の手本に使用するボーカル音をスピーカから出力して、歌い手の補助（アシスト）を行うカラオケ装置があった（例えば、特許文献１参照）。これにより、曲を正確に覚えてない者、又は音程がずれて上手く唄えない者等に対して、カラオケを唄う際の補助（アシスト）を行うことができる。
【０００３】
【特許文献１】
特開平８−１０３０００号公報
【０００４】
【発明が解決しようとする課題】
しかしながら、難聴者は補助となる手本のボーカル音や、自分の歌声や、カラオケの伴奏音等を聞き取りづらいという問題が生じていた。
【０００５】
本発明は上述した事情を鑑みてなされたものであり、難聴者であっても補助となる手本のボーカル音、自分の歌声、及びカラオケの伴奏音のうち少なくとも一つの音を認識することができ、上手にカラオケを唄うことができるためのカラオケシステムを提供することを目的としたものである。
【０００６】
【課題を解決するための手段】
上記目的を達成するため、請求項１に係る発明は、マイクからのマイクロホン信号、カラオケの伴奏音信号、及び、歌い手がカラオケで唄う際の手本に使用するボーカルに係るボーカル信号のうち少なくとも一つの信号を送信する送信機を備えたカラオケ装置と、前記送信機によって送信された信号を受信する受信機と、この受信した信号に基づいて骨伝導振動を発生させる骨伝導スピーカとを備え、人体の頭部に装着可能な骨伝導ヘッドセットと、を有することを特徴とするカラオケシステムである。
【０００７】
請求項２に係る発明は、前記カラオケ装置は、空気振動を発生させて音を出力する空気振動スピーカに対し、前記マイクからのマイクロホン信号及びカラオケの伴奏信号を送信することを特徴とする請求項１に記載のカラオケシステムである。
【０００８】
請求項３に係る発明は、前記ボーカル信号は、前記歌い手がカラオケで唄う際の手本に使用するメインボーカルに係るメインボーカル信号及びバックコーラスに係るバックコーラス信号を含むと共に、前記骨伝導ヘッドセットは、前記受信機によって受信したメインボーカル信号又はバックコーラス信号のいずれか一方を選択することにより、前記メインボーカル信号又はバックコーラス信号に基づいて前記骨伝導スピーカから発生させる骨伝導振動を制御する制御部を備えたことを特徴とする請求項１又は２に記載のカラオケシステムである。
【０００９】
請求項４に係る発明は、前記骨伝導ヘッドセットは、この骨伝導ヘッドセットの装着者が発声した音声を骨伝導振動として受信する骨伝導マイクを備え、前記骨伝導ヘッドセットの受信機は、前記骨伝導マイクによって受信した骨伝導振動に基づいた信号を送信する機能を有すると共に、他の骨伝導ヘッドセットの受信機からの信号を受信可能であることを特徴とする請求項１乃至３のいずれか１項に記載のカラオケシステムである。
【００１０】
【発明の実施の形態】
〔第１の実施形態〕
以下、図１乃至図４を用いて、本発明に係る第１の実施形態について説明する。図１は、本実施形態に係るカラオケシステム１を使用しているイメージ図である。
【００１１】
図２は、カラオケシステム１を構成するカラオケ装置１０の内部構成図である。図３は、カラオケシステム１を構成する骨伝導ヘッドセット１００の外観図である。図４は、骨伝導ヘッドセット１００の内部構成図である。
【００１２】
図１では、カラオケシステム１が設置されている施設で、歌い手（甲）が骨伝導ヘッドセット１００ａを頭部に装着し、他の聞き手（乙，丙）が骨伝導ヘッドセット１００ａを装着せずに、歌い手（甲）の歌を聴いている状況を示している。
【００１３】
図１に示すように、カラオケシステム１は、カラオケ装置１０、映像モニタ４０、マイク５０ａ及び（図２で示す）マイク５０ｂ、右側及び左側のスピーカ６０ａ，ｂ、不図示（図２で示す）リモコン７０、及び骨伝導ヘッドセット１００ａ及び（図２で示す）骨伝導ヘッドセット１００ｂをセットとしたものである。
【００１４】
図２に示すように、カラオケ装置１０には、音源装置１１、映像装置１２、複数のミキサー部１３ａ，ｂ、複数の送信機１４ａ，ｂ、複数のプリアンプ２２ａ，ｂ、エコー装置２３、メインアンプ２４、制御部３０、受信部３１が設けられている。
【００１５】
このうち、音源装置１１は、カラオケの伴奏等の音源データを記憶した装置であり、例えば１チャンネルにＬ（Ｌｅｆｔ）伴奏音データ（ｄ１）、２チャンネルにＲ（Ｒｉｇｈｔ）伴奏音データ（ｄ２）、３チャンネルに歌い手がカラオケで唄う際の手本に使用するメインボーカル音に係るメインボーカルデータ（ｄ３）、４チャンネルにバックコーラス音に係るバックコーラスデータ（ｄ４）が記録されている。また、映像装置１２は、カラオケの映像データを記録した装置であり、映像モニタに表示する歌詞のデータ（Ｄ１）とバック画像のデータ（Ｄ２）が記録されている。この歌詞データ（Ｄ１）とバック画像データ（Ｄ２）は、音源装置１１に記憶されている各種データ（ｄ１〜ｄ４）の出力と連動している。また、音源装置１１及び映像装置１２に記録されている各種データ（ｄ１〜ｄ４，Ｄ１，Ｄ２）は、音源・映像ソフト（Ｓ）が記録されているＬＤ（Ｌａｓｅｒ  Ｄｉｓｃ）等の記録媒体からの読み出しや、インターネット等の電子ネットワークによる音源・映像ソフトの配信により取得することができる。
【００１６】
更に、音源装置１１及び映像装置１２の出力端子は、第１のミキサー部１３ａの入力端子に電気的に接続（「電気的に（な）接続」を、以下単に「接続」という）されていると共に、第２のミキサー部の入力端子１３ｂに接続されている。これら第１のミキサー部１３ａ及び第２のミキサー部１３ｂは、入力信号を混合して出力する装置であり、ボリューム可変器によって各入力信号を混合する割合を変更することができる。
【００１７】
そして、第１のミキサー部１３ａの出力端子は、第１の送信機１４ａのＬ（Ｌｅｆｔ）用及びＲ（Ｒｉｇｈｔ）用の入力端子に接続されている。また、第２のミキサー部１３ｂの出力端子も同様に、第２の送信機１４ｂのＬ（Ｌｅｆｔ）用及びＲ（Ｒｉｇｈｔ）用の入力端子に接続されている。この第１の送信機１４ａは、第１のミキサー部１３ａからの出力信号（電気信号）に基づき、後述の第１の受信機１０４ａに対して電波や赤外線等の無線信号を送信する装置である。また、第２の送信機１４ｂも同様に、第２のミキサー部１３ｂからの出力信号に基づいて、後述の第２の受信機１０４ｂに無線信号を送信する装置である。
【００１８】
また、カラオケ装置１０には、マイクロホン入力端子２１ａ，ｂが設けられており、各マイクロホン入力端子２１ａ，ｂは、それぞれ第１のプリアップ２２ａの入力端子、及び第２のプリアンプ２２ｂの入力端子に接続されている。これらプリアンプ（コントロールアンプ）２２ａ，ｂは、メインアンプ２４の前段に位置するアンプ（Ａｍｐｌｉｆｉｅｒ：増幅器）であり、マイク５０ａ，ｂから送信されたマイクロホン信号としての外部入力信号に対して、ボリューム、トーン、バランス等の調整を行う装置である。また、サラウンド信号のデコード、ＤＳＰ（ＤｉｇｉｔａｌＳｕｒｒｏｕｎｄ  Ｐｒｏｃｅｓｓｏｒ：デジタル音場処理）による効果の付与等の機能を有していてもよい。
【００１９】
更に、第１及び第２のプリアンプ２２ａ，ｂの出力端子は、エコー装置２３の入力端子に接続されている。このエコー装置２３は、マイク５０ａ，ｂからのマイクロホン信号に特殊効果を付加して、歌い手の音声にエコーを掛ける装置である。
【００２０】
また、エコー装置２３の出力端子は、メインアンプ２４の入力端子に接続されている。このメインアンプ（パワーアンプ）２４は、入力された微弱な信号を増幅してスピーカ６０ａ，ｂを駆動させる装置であり、ボリューム調整により、スピーカ６０ａ，ｂから出力する音の大きさを調整することができる。また、音源装置の１及び２チャンネルの伴奏音に係る出力端子もメインアンプ２４の入力端子に接続されている。更に、メインアンプ２４の出力端子は、カラオケ装置１に設けられたＬ用及びＲ用のスピーカ出力端子２５ａ、ｂに接続されている。これによって、Ｌ用のスピーカ出力端子２５ａにＬ用スピーカ６０ａの入力端子を接続し、Ｒ用のスピーカ出力端子２５ｂにＲ用スピーカ６０ｂの入力端子を接続すると、各スピーカ６０ａ，ｂからボーカル音及び伴奏音を出力することができる。
【００２１】
更に、本実施形態においては、エコー装置２３の出力端子が各ミキサー部１３ａ，ｂの入力端子にも接続されている。これにより、カラオケ装置１０の送信機から受信機に対して、伴奏音、メインボーカル音、及びコーラス音に係る無線信号を送信するだけでなく、マイクを使って唄う歌い手の音声に係る無線信号も送信することができる。
【００２２】
また、制御部３０はコンピュータにより構成されており、ミキサー部１３ａ，ｂにおけるボリューム制御と、メインアンプ２４におけるボリューム制御を行うものである。この制御部３０は、外部のリモコン７０から受信部３１で受信した制御信号に従って動作する。
【００２３】
続いて、図３及び図４を用いることにより、本実施形態に係る骨伝導ヘッドセット１００ａ，ｂの構成を説明する。尚、骨伝導ヘッドセット１００ａ，ｂは同一構成であるため、これら共通のものとして符号１００で示している。
【００２４】
図３に示すように、骨伝導ヘッドセット１００は、支持部１０１と、支持部１０１の左右にそれぞれ基端部分が取り付けたれた右用ヘッドバンド１０２Ｒ及び左用ヘッドバンド１０２Ｌと、支持部１０１の外側（頭部に接しない側）に設けられた受信機１０４によって構成されている。また、右用ヘッドバンド１０２Ｒの先端部分には、右用骨伝導スピーカ１０３Ｒが内蔵されており、左用ヘッドバンド１０２Ｌの先端部分には、図３で不図示（図４に図示）の左用ヘッドバンド１０３Ｌが内蔵されている。また、右用ヘッドバンド１０２Ｒ及び左用ヘッドバンド１０２Ｌは、弾力性があり軽い材料のプラスティックにより形成されており、どの人の頭部にも骨伝導ヘッドセット１００を装着することができる。
【００２５】
また、右用骨伝導スピーカ１０３Ｒ及び左用骨伝導スピーカ１０３Ｌは、骨伝導ヘッドセット１００を人間の頭部に装着した際に、耳の周辺、好ましくは耳孔中心部から６０ｍｍ以内の側頭部に当接するように設けられている。これにより、各骨伝導スピーカ１０３Ｒ，Ｌから出た音は、空気振動によらずに骨伝導振動（骨伝導音）として聴器官に伝達されて、周囲の雑音が混入することなく聴取される。
【００２６】
また、図４に示すように、支持部１０１の内部には、（マイクロ）コンピュータにより構成された制御部１０５が内蔵されており、各コード１０６Ｒ，Ｌを介して、右用骨伝導スピーカ１０３Ｒ及び左用骨伝導スピーカ１０３Ｌを動作制御している。また、制御部１０５は、コード１０７を介して受信機１０４の動作制御も行っている。これにより、受信機１０４で受信した無線信号に基づいて、右用骨伝導スピーカ１０３Ｒ及び左用骨伝導スピーカ１０３Ｌから骨伝導振動を発生させることができる。
【００２７】
続いて、本実施形態に係るカラオケシステム１の動作方法について説明する。
【００２８】
まず、歌い手（甲）がリモコン７０等によりカラオケの選曲を行うと、図２に示す音源装置１１から出力されたＬ伴奏音データ（ｄ１）及びＲ伴奏音データ（ｄ２）に係る信号がメインアンプ２４で増幅され、スピーカ出力端子２５ａ，ｂを介して各スピーカ６０ａ，ｂに送信される。これにより、各スピーカ６０ａ，ｂから歌い手（甲）が選曲したカラオケの伴奏音が出力される。またこの際、映像装置１２からもＬ伴奏音データ（ｄ１）及びＲ伴奏音データ（ｄ２）の出力に連動して、歌詞データ（Ｄ１）とバック画像データ（Ｄ２）に係る信号が映像モニタ４０に出力される。これにより、映像モニタ４０にバック画像が表示されると共にカラオケの楽曲に会わせて歌詞が表示される。
【００２９】
更にこの際、音源装置１１からは、Ｌ伴奏音データ（ｄ１）、Ｒ伴奏音データ（ｄ２）、メインボーカルデータ（ｄ３）、及びバックコーラスデータ（ｄ４）に係る信号が各ミキサー部１３ａ，ｂにも出力される。そして、各ミキサー部１３ａ，ｂから各送信機１４ａ，ｂを介して各骨伝導ヘッドセット１０４ａ，ｂに対し、上記各データ（ｄ１〜ｄ４）に係る信号が無線信号として送信される。これにより、図４に示す骨伝導ヘッドセット１００では、受信機１０４で無線信号を受信する。
【００３０】
次に、制御部１０５による制御動作により、上記受信機１０４で受信した無線信号を電気信号として、各コード１０６Ｌ，Ｒを介することで左用骨伝導スピーカ１０３Ｌ及び右用骨伝導スピーカ１０３Ｒに送信する。これにより、左用骨伝導スピーカ１０３Ｌでは、上記Ｌ伴奏音データ（ｄ１）、メインボーカルデータ（ｄ３）、及びバックコーラスデータ（ｄ４）に係る信号に基づいて骨伝導振動を発生させて、歌い手（甲）の頭部の左側に伝達させる。同様に、右用骨伝導スピーカ１０３Ｒでは、上記Ｒ伴奏音データ（ｄ２）、メインボーカルデータ（ｄ３）、及びバックコーラスデータ（ｄ４）に係る信号に基づいて骨伝導振動させて、歌い手（甲）の頭部の右側に伝達させる。この骨伝導振動は、スピーカ６０ａ，ｂのように空気振動により音を発生させる場合とは異なり、歌い手（甲）の頭蓋骨に直接振動を与えるものであるため、歌い手（甲）のみが伴奏音、メインボーカル音、及びバックコーラス音を認識することができ、聞き手（乙，丙）は認識できない。
【００３１】
以上説明したように本実施形態によれば、骨伝導ヘッドセット１００ａを装着した歌い手（甲）は、骨伝導振動によって伴奏音、メインボーカル音、及びバックコーラス音を認識することができるため、難聴者であっても曲に合わせてカラオケを唄うことができるという効果を奏する。
【００３２】
また、リモコン７０によってミキサー部１３ａの混合比率を変更し、歌い手（甲）にメインボーカル音のみを伝達することで、歌い手（甲）がカラオケで唄う際の手本に使用するメインボーカル音を認識することができるため、歌い手（甲）が曲を正確に覚えていない場合や、音程がずれて上手く唄えないような場合であっても、この手本となる音を認識しながら上手く唄うことができるという効果を奏する。尚、この場合、聞き手（乙，丙）は、スピーカ６０ａ，ｂからの伴奏音と歌い手（甲）の歌声を聞くことになる。更にこの場合、図２において、音源装置１１からのバックコーラスデータ（ｄ３）に係る信号をメインアンプ２４に出力できるようにすれば、聞き手（乙，丙）は、スピーカ６０ａ，ｂからの伴奏音と歌い手（甲）の歌声以外に、バックコーラス音を聞くことができる。
【００３３】
更に、歌い手が二人存在し、一方の歌い手（甲１）がメインボーカル部分を唄い、他方の歌い手（甲２）がバックコーラス部分を唄う場合であっても、リモコン７０でミキサー部１３ａ，ｂの混合比率を変更することで、骨伝導ヘッドセット１００ａを装着した歌い手（甲１）がメインボーカル音を認識でき、骨伝導ヘッドセット１００ｂを装着した歌い手（甲２）がバックコーラス音を認識することができる。
【００３４】
〔第２の実施形態〕
以下、図５乃至図７を用いて、本発明に係る第２の実施形態について説明する。図５は、本実施形態に係るカラオケシステム１’を使用しているイメージ図である。図６は、カラオケシステム１’を構成する骨伝導ヘッドセット２００の外観図である。図７は、骨伝導ヘッドセット２００の内部構成図である。
【００３５】
図５では、カラオケシステム１’が設置されている施設で、歌い手（甲）が骨伝導ヘッドセット２００ａ，ｂを装着せず、他の聞き手（乙，丙）がそれぞれ骨伝導ヘッドセット２００ａ、ｂを装着して、歌い手（甲）の歌を聴いている状況を示している。
【００３６】
図５に示すように、カラオケシステム１’は、上記カラオケシステム１に比べて、骨伝導ヘッドセット１００ａ，ｂが骨伝導ヘッドセット２００ａ，ｂに代わっただけで他の装置は同一構成である。そのため、同一装置には同一符号を付して説明を省略し、骨伝導ヘッドセット２００ａ，ｂの構成については、図６及び図７を用いて説明する。尚、骨伝導ヘッドセット２００ａ，ｂは同一構成であるため、これらの共通のものとして符号２００で示している。また、骨伝導ヘッドセット２００において、第１の実施形態に係る骨伝導ヘッドセット１００と同一構成部分に関しては同一符号を付して説明を省略する。
【００３７】
図６に示すように、骨伝導ヘッドセット２００は、支持部１０１と、支持部１０１の左右にそれぞれ基端部分が取り付けたれた右用ヘッドバンド１０２Ｒ及び左用ヘッドバンド１０２Ｌと、支持部１０１の外側（頭部に接しない側）に設けられた送受信機１１１と、支持部１０１の内側（頭部に接する側）に設けられた骨伝導マイクロホン１１２によって構成されている。また、骨伝導マイクロホン１１２は、人間が骨伝導ヘッドセット２００を頭部に装着すると、頭部に当接するような位置に設けられている。
【００３８】
また、図７に示すように、支持部１０１の内部には、上記骨伝導ヘッドセット１００と同様に制御部１０５が内蔵されており、各コード１０６Ｒ，Ｌを介して、右用骨伝導スピーカ１０３Ｒ及び左用骨伝導スピーカ１０３Ｌを動作制御している。また、制御部１０５は、コード１０７を介して送受信機１１１の動作制御を行うと共に、コード１１３を介して骨伝導マイクロホン１１２の動作制御も行っている。これにより、骨伝導マイクロホン１１２によって骨伝導ヘッドセット２００装着者が発声した音声を骨伝導振動として受信し、送受信機１１１から骨伝導振動に基づいた無線信号を送信することができる。このため、骨伝導ヘッドセット２００を装着した者同士は、骨伝導振動による相互通信（会話）が可能となる。また、図２に示すミキサー部１３ａ，ｂの混合調整を行うことで、骨伝導ヘッドセット２００の装着者に対しても、上記骨伝導ヘッドセット１００の装着者と同様にカラオケ装置１０から伴奏音等を伝達することができる。
【００３９】
続いて、本実施形態に係るカラオケシステム１’の動作方法について説明する。
【００４０】
まず、歌い手（甲）がリモコン７０等によりカラオケの選曲を行うと、図２に示す音源装置１１から出力されたＬ伴奏音データ（ｄ１）及びＲ伴奏音データ（ｄ２）に係る信号がメインアンプ２４で増幅され、スピーカ出力端子２５ａ，ｂを介して各スピーカ６０ａ，ｂに送信される。これにより、各スピーカ６０ａ，ｂから歌い手（甲）が選曲したカラオケの伴奏音が出力される。またこの際、映像装置１２からもＬ伴奏音データ（ｄ１）及びＲ伴奏音データ（ｄ２）の出力に連動して、歌詞データ（Ｄ１）とバック画像データ（Ｄ２）に係る信号が映像モニタ４０に出力される。これにより、映像モニタ４０にバック画像が表示されると共にカラオケの楽曲に会わせて歌詞が表示される。このような状況下で歌い手（甲）が唄っている場合には、歌い手（甲）の歌声と伴奏音等によって、聞き手（乙）と聞き手（丙）は、お互いの話し声が聞き取れず、仮に大声で会話をすると歌い手（甲）に対して失礼となる。
【００４１】
そこで、聞き手（乙，丙）は、図５に示すように、それぞれ骨伝導ヘッドセット２００ａ，ｂを頭部に装着し、骨伝導マイクロホン１１２により相手側に意思を伝達すると共に、各骨伝導スピーカ１０３Ｌ，Ｒにより相手側の意思を認識する。
【００４２】
以上説明したように本実施形態によれば、聞き手（乙，丙）は、歌い手（甲）による音声や伴奏等に邪魔されずに会話をすることが出来ると共に、歌い手（甲）が唄う邪魔をすることもないという効果を奏する。
【００４３】
尚、上記各実施形態における骨伝導ヘッドセット１００，２００は、ヘッドバンド１０２Ｌ，Ｒにより構成されているが、これに限るものではなく、支持部１０１からヘッドバンド１０２Ｌ，Ｒを取り除き、骨伝導スピーカ１０３Ｌ（Ｒ）を直接支持部１０１に取り付けたヘッドセットとしてもよい。これにより、歌い手は、右手にマイク５０ａを持ち、左手の手のひらに支持部１０１を持って、この支持部１０１を自分の頭部のこめかみ付近に当てながら（セットしながら）唄うことができる。
【００４４】
また、上記各実施形態では、カラオケ装置１０から無線通信によってヘッドセット１００，２００に信号を送信しているが、これに限るものではなく、コード等を介した有線通信によって信号を送信するようにしてもよい。また、ヘッドセット２００ａ，ｂ同士間の通信も有線通信により行ってもよい。
【００４５】
【発明の効果】
以上説明したように、本発明によれば、カラオケ装置によって、マイクからのマイクロホン信号、カラオケの伴奏音信号、及び、歌い手がカラオケで唄う際の手本に使用するボーカルに係るボーカル信号のうち少なくとも一つの信号を送信すると共に骨伝導ヘッドセットによって受信して、この受信した信号に基づいて骨伝導振動を発生させることにより、難聴者等に対して、カラオケを唄う際の補助（アシスト）を行うことができるという効果を奏する。
【図面の簡単な説明】
【図１】本発明の第１実施形態に係るカラオケシステム１を使用しているイメージ図。
【図２】カラオケシステム１を構成するカラオケ装置１０の内部構成図。
【図３】カラオケシステム１を構成する骨伝導ヘッドセット１００の外観図。
【図４】第１実施形態に係る骨伝導ヘッドセット１００の内部構成図。
【図５】本発明の第２実施形態に係るカラオケシステム１’を使用しているイメージ図。
【図６】カラオケシステム１’を構成する骨伝導ヘッドセット２００の外観図。
【図７】第２実施形態に係る骨伝導ヘッドセット２００の内部構成図。
【符号の説明】
１  （第１の実施形態に係る）カラオケシステム
１’  （第２の実施形態に係る）カラオケシステム
１１  音源装置
１２  映像装置
１３ａ  第１のミキサー部
１３ｂ  第２のミキサー部
１４ａ  第１の送信機
１４ｂ  第２の送信機
１０３Ｌ  左用骨伝導スピーカ
１０３Ｒ  右用骨伝導スピーカ
１０４  受信機
１０５  制御部
１１１  送受信機（骨伝導振動に基づいた信号を送信する機能を有した受信機）
１１２  骨伝導マイクロホン
１０  カラオケ装置
４０  映像モニタ
５０ａ，ｂ  マイク
６０ａ，ｂ  スピーカ
７０  リモコン
１００  （第１の実施形態に係る）骨伝導ヘッドセット
２００  （第２の実施形態に係る）骨伝導ヘッドセット
【図１】
2004170717.tif 000003
【図２】
2004170717.tif 000004
【図３】
2004170717.tif 000005
【図４】
2004170717.tif 000006
【図５】
2004170717.tif 000007
【図６】
2004170717.tif 000008
【図７】
2004170717.tif 000009